(57)【要約】      （修正有）【課題】天板の中央部において衝立を必要に応じて昇降させることができるようにする。【解決手段】所定の脚と一体的に形成されるフレーム９と、フレーム９上に水平状態に保持されるものであって、その中央部に所定幅のスリット２１を有する天板２と、天板２の中央部のところに形成された上記スリット２１内に設置されるものであって、天板２に対して垂直方向への移動が可能なように設けられる衝立１と、衝立１の昇降運動を担うものであって所定の巻バネ機構３１にて形成される駆動装置３と、からなる。【選択図】図１
2017200529.tif 000002
【特許請求の範囲】
【請求項１】
所定の脚と一体的に形成されるフレームと、当該フレーム上に水平状態に保持されるものであって、その中央部に所定幅のスリットを有する天板と、当該天板の中央部のところに形成された上記スリット内に設置されるものであって、上記天板に対して垂直方向への移動が可能なように設けられる衝立と、当該衝立の昇降運動を担うものであって所定の巻バネ機構にて形成される駆動装置と、からなることを特徴とする昇降式衝立を有するテーブル。
【請求項２】
請求項１記載の昇降式衝立を有するテーブルにおいて、上記駆動装置を、所定の幅を有する帯状の巻バネ体からなる巻バネ機構を基礎に形成させるとともに、当該巻バネ機構全体を上記衝立の下方部のところに取付け、更に、上記巻バネ機構を形成する帯状の巻バネ体の一方の端部を上記天板を支えるフレームのところに固定するようにしたことを特徴とする昇降式衝立を有するテーブル。
【請求項３】
請求項１または請求項２記載の昇降式衝立を有するテーブルにおいて、上記巻バネ機構の取付けられる上記衝立の下方部のところに、質量の調整が可能なように形成されたバランスウエイトを設けるようにしたことを特徴とする昇降式衝立を有するテーブル。
【請求項４】
請求項１ないし請求項３のいずれかに記載の昇降式衝立を有するテーブルにおいて、上記衝立と上記天板を支えるフレームの上端部との間に、上記衝立が最上方位置に持上げられた状態において、この位置を保持するためのストッパ装置を設けるようにしたことを特徴とする昇降式衝立を有するテーブル。
【発明の詳細な説明】
【技術分野】
【０００１】
本発明は、テーブル天板の中央部のところに、昇降式の衝立を設けることとし、普段は当該衝立を降ろした状態の広い天板を有するテーブルを形成させるとともに、場合によっては、上記衝立を上昇させて一つのテーブルを複数人が個々に使用することのできるようにした昇降式の衝立を有するテーブルに関するものである。
【背景技術】
【０００２】
従来の衝立を有するテーブルとしては、例えば特開２０００−４９４７号公報（特許文献１）記載のものの如く、天板の一方の端部側にのみ衝立が設けられ、このような衝立が上下に昇降運動をするようになっているものが挙げられる。従って、この従来のものは、例えば、レストラン、食堂等において、利用者の前方を隠すことができるようになっているものである。すなわち、利用者のプライバシーを護ることを主に設けられているものである。
【先行技術文献】
【特許文献】
【０００３】
【特許文献１】特開２０００−４９４７号公報
【発明の概要】
【発明が解決しようとする課題】
【０００４】
ところで、上記従来のものは、一個人のプライバシーを護ると言う点においては充分であるが、２人以上の客、例えば家族がまとまった状態で食事をすると言うような場合においては、対面状態で席に着くことができないと言う問題点を有する。このような問題を解決するために、通常は、ある程度の面積を有する天板を形成するとともに、場合によっては、状況に応じて天板の中央部のところに衝立を形成させるようにし、このような衝立の昇降運動を電動モータを用いない巻バネ機構にて行わせるようにした、昇降式の衝立を有するテーブルを提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、昇降式衝立を有するテーブルに関して、所定の脚と一体的に形成されるフレームと、当該フレーム上に水平状態に保持されるものであって、その中央部に所定幅のスリットを有する天板と、当該天板の中央部のところに形成された上記スリット内に設置されるものであって、上記天板に対して垂直方向への移動が可能なように設けられる衝立と、当該衝立の昇降運動を担うものであって所定の巻バネ機構にて形成される駆動装置と、からなるようにした構成を採ることとした。
【０００６】
次に、請求項２記載の発明である第二の発明においては、請求項１記載の昇降式衝立を有するテーブルに関して、上記駆動装置を、所定の幅を有する帯状の巻バネ体からなる巻バネ機構を基礎に形成させるとともに、当該巻バネ機構全体を上記衝立の下方部のところに取付け、更に、上記巻バネ機構を形成する帯状の巻バネ体の一方の端部を上記天板を支えるフレームのところに固定するようにした構成を採ることとした。
【０００７】
次に、請求項３記載の発明である第三の発明においては、請求項１または請求項２記載の昇降式衝立を有するテーブルに関して、上記巻バネ機構の取付けられる上記衝立の下方部のところに、質量の調整が可能なように形成されたバランスウエイトを設けるようにした構成を採ることとした。
【０００８】
次に、請求項４記載の発明である第四の発明においては、請求項１ないし請求項３のいずれかに記載の昇降式衝立を有するテーブルに関して、上記衝立と上記天板を支えるフレームの上端部との間に、上記衝立が最上方位置に持上げられた状態において、この位置を保持するためのストッパ装置を設けるようにした構成を採ることとした。
【発明の効果】
【０００９】
請求項１記載の発明である第一の発明のものにおいては、天板の中央部に設けられる衝立を、バネ機構からなる駆動装置の作動をかりて、テーブル利用者が、比較的小さな力にて自由に昇降作業を行なうことができるようになる。その結果、その場の状況に応じてテーブルを複数人の利用者が集まった状態で使用することもできるし、また、その他の場合には、衝立を作動させて個人用テーブルとして、例えば個食時等にすみやかに対応させることができるようになる。
【００１０】
また、請求項２記載の発明である第二の発明のものにおいては、上記駆動装置は、巻バネ機構の巻込み作用によって、常に一定方向、この場合においては、衝立を常に上方へ持ち上げるように機能することとなる。その結果、この巻バネ機構の衝立を上方へ持ち上げようとする力と衝立全体の重力による下方への押し下げ力とが、常に平衡した状態となり、衝立は常に浮いた状態に置かれ、衝立の引き上げ操作は円滑に行なわれることとなる。
【００１１】
また、請求項３記載の発明である第三の発明のものにおいては、上記バランスウエイトの質量を微調整することによって、上記巻バネ機構を形成する巻バネ体が解放されたときに生ずる巻バネ体にて形成される巻込み力の値と、上記巻バネ機構の取付けられた状態における衝立全体の質量にて形成される下方向への力、すなわち、重量の値とが、ほぼバランスするようになる。その結果、利用者は、小さな力、すなわち、軽い操作力によって、上記衝立の上下方向への操作を円滑に行なうことができるようになる。
【００１２】
また、請求項４記載の発明である第四の発明のものにおいては、衝立を上方へ引き上げた状態において、上記ストッパ装置を作動させることにより、衝立の不意の降下を未然に防止することができるようになる。その結果、衝立上昇時における安全性が確保されることとなる。
【図面の簡単な説明】
【００１３】
【図１】本発明の全体構成を示す展開斜視図である。
【図２】本発明にかかる衝立が天板の下側に降下した状態を示す図である。
【図３】本発明にかかる衝立が天板上に垂直状に上昇した状態を示す図である。
【図４】天板が降下したときにおける駆動装置を形成する巻バネ機構が伸びた状態を示す図である。
【図５】天板が上昇したときにおける巻バネ機構の巻き取られた状態を示す図である。
【発明を実施するための形態】
【００１４】
本発明を実施するための形態について、図１ないし図５を基に説明する。本実施の形態にかかるものは、昇降式衝立を有するテーブルに関するものであり、具体的には図１に示す如く、所定の脚と一体的に形成されるフレーム９と、当該フレーム９上に水平状態に保持されるものであって、その中央部に所定幅のスリット２１を有する天板２と、当該天板２の中央部のところに形成された上記スリット２１内に設置されるものであって、上記天板２に対して垂直方向への移動が可能なように設けられる衝立１と、当該衝立１の昇降運動を担うものであって巻バネ機構３１を主に形成される駆動装置３と、からなることを基本とするものである。
【００１５】
このような構成からなるものにおいて、上記駆動装置３は、所定の幅を有する帯状の巻バネ体３２からなる巻バネ機構３１を基礎に形成されるものである。そして、このような巻バネ機構３１は、２個並列なようにスライダ３３のところに取付けられるようになっている。更に、このスライダ３３は、その両端部のところが、上記フレーム９のところに固定部材９３を介して取付けられる枠状フレーム９１の、その両側面部に形成されたスライドレール９１１のところを上下方向にスライド移動が可能なように取付けられるようになっているものである。このような構成からなるものにおいて、上記衝立１は、例えば図１に示す如く、全体が枠状の形態からなるものであり、その上方部のところには遮蔽部１１が形成されるとともに、中間部のところには何にも無い空間部１２が形成され、更には、この空間部１２の下方部のところには、本衝立１の基礎をなすベース部１５が形成されるようになっているものである。そして更に、このベース部１５のところには、取付けブラケット１３を介して、上記駆動装置３が取付けられるようになっているものである。
【００１６】
更に、上記駆動装置３を形成する巻バネ機構３１は、所定の幅を有する帯板状のバネ鋼板からなるものであり、このような板材をつる巻状に巻き付けた状態のもの、すなわち、巻バネ体３２にて形成されるようになっているものである。従って、このような巻バネ体３２は、普段は帯板状の鋼板が巻き込まれた状態となっているものである。そして、このような巻バネ体３２の一端が引き出されることによって、元のつる巻状態に戻ろうとするバネ力が生ずることとなる。そして、この巻込み力は、帯板状鋼板の引き出し量、すなわち、巻バネ体３２の伸び量にかかわらず、常に、ほぼ一定の値となるようになっている。このような巻バネ体３２の作用により、上記スライダ３３並びに当該スライダ３３の取付けられる衝立１は、常にほぼ一定の力で上方へと持ち上げられるようになる。従って、本衝立１は上記天板２に形成されたスリット２１内にて常に安定した状態に保持されることとなる。
【００１７】
更に、このような構成からなるものにおいて、上記巻バネ機構３１からなる駆動装置３の取付けられるところであって上記衝立１の下方部に形成されるベース部１５のところには、質量の調整が可能なように形成されたバランスウエイト５が取付ブラケット１３及びビスネジ１６等を介して設けられるようになっている。また、このような構成からなるものにおいて、上記衝立１と上記天板２を支えるフレーム９の上端部との間には、上記衝立１が最上方位置に持上げられた状態において、この位置を保持するためのストッパ装置６が設けられるようになっている。
【００１８】
このような構成を採ることにより、本実施の形態のものにおいては、衝立１を、普段は、例えば図２または図４に示す如く、下方へと降下させた状態にしておき、これによって天板２を広い状態に保持し、テーブルを複数人の利用者が集まった状態で使用することができるようにしている。これに対して、個人用テーブルとして利用する場合には、衝立１を図３または図５に示すように上昇させて、天板２を衝立１にて区分けする。具体的には、衝立１の上端部に設けられた取っ手１７のところを持って、衝立１を上方へと引き上げるようにする。これによって、テーブルは衝立１によって個人用テーブルとして分割されることとなる。すなわち、個食時用テーブルとして、すみやかに対応させることができるようになる。このような衝立１の昇降操作は、上記駆動装置３が巻バネ機構３１の巻込み作用によって、常に一定方向である衝立１を常に上方へと持ち上げるように機能していることより、比較的小さな力にて行なえるようになる。すなわち、衝立１には、常に上方へ持ち上げようとする力と衝立１全体の重力による下方へ押し下げようとする力とが、常に平衡した状態となっている。従って、衝立１は常に浮いた状態に置かれ、衝立１の引き上げ操作は比較的小さな力にて行なわれることとなる。
【００１９】
このような構成からなるものにおいて、上記衝立１の下方部に形成されたベース部１５のところには、上記バランスウエイト５がビスネジ１６等を介して取付けられるようになっているとともに、このようなバランスウエイト５の質量は調整が可能なようになっている。そして、この質量を調整することによって、上記巻バネ機構３１を形成する巻バネ体３２の巻込み力の値と、上記巻バネ機構３１の取付けられた状態における衝立１全体の質量にて形成される下方向への力、すなわち、重量の値とが、ほぼバランスするようになる。その結果、利用者は、小さな力、すなわち、軽い操作力によって、上記衝立１の上下方向への操作を円滑に行なうことができるようになる。
【００２０】
また、このような構成からなるものにおいて、衝立１を上方へ引き上げた状態において、当該衝立１の不意の降下を未然に防止するために、例えば、図２または図３に示す如く、天板２を支えるフレーム９の上端部のところにはストッパ装置６が設けられるようになっている。このストッパ装置６は、衝立１が天板２上において所定の高さ（位置）まで持ち上げられた（上昇した）状態において、上記衝立１の側面の所定のところに噛み込み、衝立１の重力による落下を抑止するようにしているものである。
【符号の説明】
【００２１】
１  衝立
１１  遮蔽部
１２  空間部
１３  取付ブラケット
１５  ベース部
１６  ビスネジ
１７  取っ手
２  天板
２１  スリット
３  駆動装置
３１  巻バネ機構
３２  巻バネ体
３３  スライダ
５  バランスウエイト
６  ストッパ装置
９  フレーム
９１  枠状フレーム
９１１  スライドレール
９３  固定部材
【図１】
2017200529.tif 000003
【図２】
2017200529.tif 000004
【図３】
2017200529.tif 000005
【図４】
2017200529.tif 000006
【図５】
2017200529.tif 000007